(57)【要約】【課題】ミラーを使用するとともに、眼幅調整が可能で使い勝手のよい双眼鏡筒を提供すること。【解決手段】本発明にかかる双眼鏡筒は、第１の接眼レンズ２２と、第２の接眼レンズ２３と、ビームスプリッター１８と第１ミラー１９とを内蔵する第１本体枠９と、第２のミラー２０および第３のミラー２１を内蔵する第２本体枠１１と、第１本体枠９と第２本体枠１１とを回転自在に嵌合する回転軸部材７と、第２本体枠１１および回転軸部材７の間に配置されて第２本体枠１１を回転自在に支持する樹脂リング１０とを備え、第２本体枠１１は、回転軸部材７側の一部の角が面取りされている。【選択図】図２
2012112994.tif 000002
【特許請求の範囲】
【請求項１】
眼幅調整が可能である双眼鏡筒において、
第１の接眼レンズと、
第２の接眼レンズと、
外部からの光束を分岐するビームスプリッターおよび第１ミラーを備え、前記ビームスプリッターによって分岐された一方の光束を前記第１ミラーの反射によって前記第１の接眼レンズに導く第１の光学系と、
前記第１の光学系を内蔵する第１本体枠と、
第２のミラーおよび第３のミラーを備え、前記ビームスプリッターによって分岐された他方の光束を前記第２のミラーおよび前記第３のミラーの反射によって前記第２の接眼レンズに導く第２の光学系と、
前記第２の光学系を内蔵する第２本体枠と、
前記第１本体枠および前記第２の本体枠を回転自在に嵌合する回転軸部材と、
前記第２本体枠および前記回転軸部材の間に配置され、前記第２の本体枠を回転自在に支持する第１の樹脂リングと、
を備え、
前記第２本体枠は、前記回転軸部材側の一部の角が面取りされていることを特徴とする双眼鏡筒。
【請求項２】
前記第２本体枠および前記第１のリングは、互いに面取りされ、
前記第２の本体枠の面取りされた面および前記第１の樹脂リングの面取りされた面は、面接触することを特徴とする請求項１に記載の双眼鏡筒。
【請求項３】
前記第２の本体枠の面取りされた面および前記第１の樹脂リングは、点接触することを特徴とする請求項１に記載の双眼鏡筒。
【請求項４】
前記回転軸部材は、略円筒部分を有し、
前記回転軸部材の略円筒部分の先端部側面および基端部側面は、異なる側から半周以上にわたって切り欠かれていることを特徴とする請求項１〜３のいずれか一つに記載の双眼鏡筒。
【請求項５】
前記第１本体枠は、前記回転軸部材側の一部の角が面取りされていることを特徴とする請求項１〜４のいずれか一つに記載の双眼鏡筒。
【請求項６】
前記第１本体枠および前記回転軸部材の間に配置され、前記第１の本体枠を回転自在に支持する第２の樹脂リングをさらに備え、
前記第２の樹脂リングは、面取りされ、
前記第１の本体枠の面取りされた面と前記第２の樹脂リングの面取りされた面は、面接触することを特徴とする請求項５に記載の双眼鏡筒。
【請求項７】
前記回転軸部材は、前記第１本体枠の面取りされた面と接触する傾斜面が形成されることを特徴とする請求項５に記載の双眼鏡筒。
【発明の詳細な説明】
【技術分野】
【０００１】
本発明は、眼幅調整が可能である双眼鏡筒に関する。
【背景技術】
【０００２】
従来、顕微鏡に用いられる鏡筒として、二つの光軸の間隔を使用者の眼幅に合わせて調整可能にしたジーデントップ型の鏡筒が数多く採用されている。このような鏡筒として、たとえば、図１７および図１８に示すような鏡筒が知られている（たとえば、特許文献１参照）。この鏡筒は、回転軸１２０と、回転軸１２０に回転自在に支持された第１のプリズム台１２１および第２のプリズム台１２２と、各プリズム台に着脱自在に取り付けられる固定板１２３，１２４と、固定板１２３，１２４にそれぞれ接着固定されるプリズム１２５，１２６とを有する。
【０００３】
回転軸１２０は、下端面が開放した円筒形状を有しており、その下端面近傍の外周縁にはフランジ１３１が形成される。回転軸１２０の側面には、軸方向に下端面から中間位置までの領域であって、かつ、径方向の半分の位置までの領域が切り欠かれた開口部１３２が形成される。また、回転軸１２０の側面には、軸方向に中間位置から上端面まであって、径方向においては開口部１３２と１８０度ずれた位置までの領域が切り欠かれた開口部１３３が形成される。
【０００４】
開口部１３２には、固定板１２３に接着固定されたプリズム１２５の一部が挿入され、プリズム台１２１に固定される。開口部１３３には、固定板１２４に接着固定されたプリズム１２６の一部が挿入され、プリズム台１２２に固定される。フランジ１３１の反対側にある回転軸１２０の先端には、図示しない皿ワッシャーと固定板が挿入され、皿ワッシャーを変形させて固定板を回転軸１２０に固定することによって、プリズム台１２１，１２２をフランジ１３１の方向に押圧する。
【０００５】
これらの構成を有する鏡筒によれば、回転軸１２０を中心に二つの光軸が回転し、眼幅調整可能である機構が実現される。
【０００６】
また、図１９および図２０に示すような鏡筒も知られている（たとえば、特許文献２参照）。この鏡筒は、第１の鏡筒アーム２０６が収容プレート２０５に旋回可能に取り付けられ、第２の鏡筒アーム２１１が第１の鏡筒アーム２０６に旋回可能に取り付けられた構成を有する。この構成によって第１の鏡筒アーム２０６および第２の鏡筒アーム２１１は、図２０に示すように光軸２００に対して対照的な位置２０６´，２１１´に移動することができる。
【先行技術文献】
【特許文献】
【０００７】
【特許文献１】実開平６−４３６１５号公報
【特許文献２】実開平２−１２１７１２号公報
【発明の概要】
【発明が解決しようとする課題】
【０００８】
しかしながら、特許文献１に記載された構成では、プリズム１２５、１２６の一部が開口部１３２，１３３にそれぞれ挿入される構成のため、プリズム台１２１，１２２の回転範囲が開口部１３２，１３３の大きさに応じて狭い範囲に制限されてしまうという問題があった。具体的には、眼幅調整を行う範囲は、図１８の矢印Ｒに示すように、プリズム台１２１，１２２を略水平にした状態から下側の片方のみに制限されている。このため、使用者の観察時のアイポイントが一箇所に限定されてしまい、使用者の身長にあわせた眼幅調整が行えないため、顕微鏡の使い勝手が悪かった。
【０００９】
また、特許文献１に記載された構成では、さらに低コストを図るために高価なプリズムから安価なミラーに設計変更を行う場合がある。ミラーは、プリズムと異なり、反射面の裏側に硝材の厚みを有する上に、反射面を保持枠に当て付けるための当て付け代が必要となり、プリズムと比較して大きなスペースを確保する必要があるため、開口部１３２，１３３を大型化しなければならない。しかしながら、開口部１３２，１３３を特許文献１に記載された構成よりも大きくした場合、回転軸の剛性が低くなり、製品としての使用に耐えられず、ミラーを適用することができないという問題があった。
【００１０】
また、特許文献２に記載された構成では、両方の鏡筒アームに貫通する回転軸部材が存在しないため、使用者が眼幅調整を行うために鏡筒アームに触れると容易に鏡筒アームが傾いてしまい、右目の観察像と左目の観察像とがずれ、観察に支障をきたしてしまう。したがって、同じ観察像を見ながら眼幅調整を行わないと正確な調整ができない上に、常に鏡筒アームに触れないように観察を行わなければならず、顕微鏡の使い勝手が悪かった。
【００１１】
本発明は、上記に鑑みてなされたものであって、ミラーを使用するとともに、眼幅調整が可能で使い勝手のよい双眼鏡筒を提供することを目的とする。
【課題を解決するための手段】
【００１２】
上述した課題を解決し、目的を達成するために、本発明にかかる双眼鏡筒は、眼幅調整が可能である双眼鏡筒において、第１の接眼レンズと、第２の接眼レンズと、外部からの光束を分岐するビームスプリッターおよび第１ミラーを備え、前記ビームスプリッターによって分岐された一方の光束を前記第１ミラーの反射によって前記第１の接眼レンズに導く第１の光学系と、前記第１の光学系を内蔵する第１本体枠と、第２のミラーおよび第３のミラーを備え、前記ビームスプリッターによって分岐された他方の光束を前記第２のミラーおよび前記第３のミラーの反射によって前記第２の接眼レンズに導く第２の光学系と、前記第２の光学系を内蔵する第２本体枠と、前記第１本体枠および前記第２の本体枠を回転自在に嵌合する回転軸部材と、前記第２本体枠および前記回転軸部材の間に配置され、前記第２の本体枠を回転自在に支持する第１の樹脂リングと、を備え、前記第２本体枠は、前記回転軸部材側の一部の角が面取りされていることを特徴とする。
【００１３】
また、本発明にかかる双眼鏡筒は、前記第２本体枠および前記第１のリングは、互いに面取りされ、前記第２の本体枠の面取りされた面および前記第１の樹脂リングの面取りされた面は、面接触することを特徴とする。
【００１４】
また、本発明にかかる双眼鏡筒は、前記第２の本体枠の面取りされた面および前記第１の樹脂リングは、点接触することを特徴とする。
【００１５】
また、本発明にかかる双眼鏡筒は、前記回転軸部材は、略円筒部分を有し、前記回転軸部材の略円筒部分の先端部側面および基端部側面は、異なる側から半周以上にわたって切り欠かれていることを特徴とする。
【００１６】
また、本発明にかかる双眼鏡筒は、前記第１本体枠は、前記回転軸部材側の一部の角が面取りされていることを特徴とする。
【００１７】
また、本発明にかかる双眼鏡筒は、前記第１本体枠および前記回転軸部材の間に配置され、前記第１の本体枠を回転自在に支持する第２の樹脂リングをさらに備え、前記第２の樹脂リングは、面取りされ、前記第１の本体枠の面取りされた面と前記第２の樹脂リングの面取りされた面は、面接触することを特徴とする。
【００１８】
また、本発明にかかる双眼鏡筒は、前記回転軸部材は、前記第１本体枠の面取りされた面と接触する傾斜面が形成されることを特徴とする。
【発明の効果】
【００１９】
本発明にかかる双眼鏡筒においては、第１本体枠および第２本体枠のうち第２本体枠の回転軸部材側の一部の角を面取りし、第２本体枠および回転軸部材の間に第２の本体枠を回転自在に支持する樹脂リングを設けることによって、眼幅調整および観察のために加えられた外力を第２本体枠の回転に効率的に変換できるため、幅広く眼幅調整が可能なように回転軸部材の切り欠き部を大きくすることができ、使い勝手がよくなる。
【図面の簡単な説明】
【００２０】
【図１】図１は、実施の形態１にかかる双眼鏡筒を有する顕微鏡の正面図である。
【図２】図２は、図１に示す双眼鏡筒の双眼部を図１の上部から眼幅調整機構の回転軸を中心に一部切断した図である。
【図３】図３は、図２における一部領域を拡大した図である。
【図４】図４は、図２における一部領域を拡大した図である。
【図５】図５は、図２における一部領域を拡大した図である。
【図６】図６は、図２における一部領域を拡大した図である。
【図７】図７は、図２において眼幅調整を行う機構の構成部材の分解斜視図である。
【図８】図８は、図７に示すＡ−Ａ線断面図である。
【図９】図９は、図７に示すＢ−Ｂ線断面図である。
【図１０】図１０は、図７に示すＣ−Ｃ線断面図である。
【図１１】図１１は、図７に示すＤ−Ｄ線断面図である。
【図１２】図１２は、図７に示すＥ−Ｅ線断面図である。
【図１３】図１３は、実施の形態２における双眼鏡筒の双眼部を上部から眼幅調整機構の回転軸を中心に一部切断した図である。
【図１４】図１４は、図１３における一部領域を拡大した図である。
【図１５】図１５は、図１３における一部領域を拡大した図である。
【図１６】図１６は、図１３における一部領域を拡大した図である。
【図１７】図１７は、従来技術にかかる双眼鏡筒を説明する断面図である。
【図１８】図１８は、図１７に示す双眼鏡筒に使用される眼幅調整機構の分解斜視図である。
【図１９】図１９は、従来技術にかかる双眼鏡筒を説明する断面図である。
【図２０】図２０は、図１９に示す双眼鏡筒の斜視図である。
【発明を実施するための形態】
【００２１】
以下に、本発明にかかる実施の形態として、顕微鏡に用いられる双眼鏡等を例として説明する。なお、この実施の形態によりこの発明が限定されるものではない。また、図面の記載において、同一部分には同一の符号を付している。
【００２２】
（実施の形態１）
まず、実施の形態１について説明する。図１は、本実施の形態１にかかる双眼鏡筒を有する顕微鏡の正面図である。図１に示すように、本実施の形態１における顕微鏡１００は、顕微鏡本体１と、鏡筒２、対物レンズ３、ステージ４およびコンデンサ５を有する。
【００２３】
顕微鏡本体１の前側には、レボルバ３ａが設けられ、対物レンズ３は、レボルバ３ａに対して交換可能に取り付けられる。鏡筒２は、レボルバ３ａの上部に搭載される。鏡筒２の前面部には、一対の接眼レンズを有する双眼部２ａが設けられている。双眼部２ａは、後述するように、鏡筒２に対して図１の紙面に沿って矢印のように回動自在に設けられている。顕微鏡本体１は、標本が載置されるステージ４を支持する。標本は、ステージ４を介し、顕微鏡本体１の側面部に凸設された焦準ハンドル３ｂの回動操作に連動して昇降移動され、対物レンズ３に対して焦準合わせ（ピント合わせ）される。対物レンズ３は、レボルバ３ａの回動操作に応じてステージ４上の標本上に択一的に配置される。顕微鏡本体１には、図示しない光源から供給される照明光を、内部に設けられた照明光学系によって対物レンズ３を介してステージ４上の標本に照射させる。対物レンズ３は、鏡筒２が内部に有する結像レンズと協働し、照明光学系によって照明された標本の観察像を結像させる。このとき、対物レンズ３は、標本の各点から発せられた観察光を集光し、平行光として結像レンズへ射出させる。結像レンズは、対物レンズ３が射出させた観察光を集光して観察像を結像させる。コンデンサ５は、偏光観察、明視野観察、暗視野観察などの観察方式に応じて集光レンズや集光ミラーによって構成される。
【００２４】
図１に示す鏡筒２について詳細に説明する。鏡筒２は、顕微鏡本体１に設けた対物レンズ３から入射された観察光を光学系によって２分割し、分割した観察光を二つの接眼レンズに入射させて同じ像を両目で観察できるようにした双眼鏡筒として構成してあり、さらに両眼の間隔である眼幅を調整可能に構成したジーデントップ型の眼幅調整機構を有したものである。
【００２５】
図２は、図１に示す鏡筒２の双眼部２ａを図１の上部から眼幅調整機構の回転軸を中心に一部切断した図である。図２に示すように、双眼部２ａは、対物レンズ３からの光束が内部に導光可能である外枠２ｃ、対物レンズ３の観察光軸と一致する光軸６を中心軸に有する回転軸部材７、この回転軸部材７に回転自在に嵌合された第１本体枠９および第２本体枠１１、第１本体枠９内部に固定されるビームスプリッター１８および第１本体枠９内部に固定される第１ミラー１９を有する第１の光学系、第２本体枠１１内部に固定される第２ミラー２０および第２本体枠１１内部に固定される第３ミラー２１を有する第２の光学系、第１本体枠９に固定される第１接眼レンズ２２、第２本体枠１１に固定される第２接眼レンズ２３を有する。
【００２６】
対物レンズ３からの光束は、ビームスプリッター１８によって二つに分岐される。ビームスプリッター１８によって分岐された一方の光束は、第１ミラー１９で反射することによって第１接眼レンズ２２に導かれる。ビームスプリッター１８によって分岐された他方の光束は、第２ミラー２０で反射し、その後、第３ミラー２１で反射することによって第２接眼レンズ２３に導かれる。
【００２７】
次に、図３〜図１２を参照して、眼幅調整機構について説明する。図３は、図２における領域Ａ１を拡大した図である。図４は、図２における領域Ａ２を拡大した図である。図５は、図２における領域Ａ３を拡大した図である。図６は、図２における領域Ａ４を拡大した図である。図７は、図２において眼幅調整を行う機構の構成部材の分解斜視図である。図８は、図７に示すＡ−Ａ線断面図である。図９は、図７に示すＢ−Ｂ線断面図である。図１０は、図７に示すＣ−Ｃ線断面図である。図１１は、図７に示すＤ−Ｄ線断面図である。図１２は、図７に示すＥ−Ｅ線断面図である。
【００２８】
図３，４，７に示すように、回転軸部材７は略円筒部分を有し、この略円筒部分の下部には、土台となるフランジ部７ａが形成される。フランジ部７ａ上部には、他の部材との接触部となる嵌合部７ｂが形成される。略円筒部分の先端面７ｃには、後述するビス１６が固定される穴７ｇが形成される。回転軸部材７の略円筒部分の基端部側面７ｈおよび先端部側面７ｉは、図７および図８に示すように、異なる側から半周以上にわたって切り欠かれた切り欠き部７ｅおよび切り欠き部７ｆが形成される。基端部側面７ｈの切り欠き部７ｅは、ビームスプリッター１８およびビームスプリッター１８の固定部材が眼幅調整時に回転軸部材７に干渉しないように設けられたものであり、先端側部分７ｉの切り欠き部７ｆは、第２ミラー２０および第２ミラー２０の固定部材が眼幅調整時に回転軸部材７に干渉しないように設けられたものである。
【００２９】
回転軸部材７の嵌合部７ｂおよび第１本体枠９の間には、嵌合部７ｂの外径と略同一の内径Ｄａを有する樹脂リング８が配置される。樹脂リング８は、第１本体枠９を回転自在に支持する。樹脂リング８は、ポリアセタール樹脂などの耐摩耗性のある材料で形成される。
【００３０】
第１本体枠９は、回転軸部材７の嵌合部７ｂの外径と略同一の内径Ｄａを有する筒状部分を有する。第１本体枠９の筒状部分は、回転軸部材７の外部から嵌められる。第１本体枠９の筒状部分は、回転軸部材７の切り欠き面７ｅに対応するように、側面の一部が切り欠かれている。第１本体枠９は、樹脂リング８を間に介在させた状態で回転軸部材７に支持される。
【００３１】
第１本体枠９および樹脂リング８は、図３、図７、図９および図１０に示すように、互いに面取りされて接触する。第１本体枠９は、回転軸部材７側の角のうち筒状部分の下側の角がＣ面取りされており、樹脂リング８は、全周にわたって、第１本体枠９の面取りされた面９ａと接触する角が面取りされている。樹脂リング８は、図９に示すように、樹脂リング８の中心軸に平行である面で切断した場合の断面がたとえば略三角形状となっており、第１本体枠９の面取りされた面９ａおよび樹脂リング８の面取りされた面８ａは、面接触する。第１本体枠９を光軸６に沿って回転軸部材７のフランジ部７ａ側の方向に押圧すると、図３に示すように、樹脂リング８の面取りされた面８ａと第１本体枠９の面取りされた面９ａとが密着する構成となっている。この樹脂リング８は、一部が切断されていることによって、環境温度の変化による寸法変化の不具合を防止している。
【００３２】
樹脂リング１０は、図７および図１１に示すように、樹脂リング８とほぼ同一形状を有する。樹脂リング１０は、図２、図４および図５に示すように、第２本体枠１１および回転軸部材７の間に配置され、第２本体枠１１を回転自在に支持する。樹脂リング１０は、樹脂リング８と同様に耐摩耗性のある材料で形成される。
【００３３】
第２本体枠１１は、回転軸部材７の嵌合部７ｂの外径と略同一の内径Ｄａを有する筒状部分を有する。第２本体枠１１の筒状部分は、回転軸部材７の外部から嵌められる。第２本体枠１１の筒状部分は、回転軸部材７の切り欠き面７ｆに対応するように、側面の一部が切り欠かれている。
【００３４】
第２本体枠１１および樹脂リング１０は、図２、図４、図５、図７および図１１に示すように、互いに面取りされて接触する。第２本体枠１１は、回転軸部材７側の一部の角がＣ面取りされている。樹脂リング１０は、図１１に示すように、樹脂リング１０の中心軸に平行である面で切断した場合の断面がたとえば略三角形状となっており、第２本体枠１１の面取りされた面１１ａおよび樹脂リング１０の面取りされた面１０ａは、面接触する。第２本体枠１１を光軸６に沿って回転軸部材７のフランジ部７ａ側の方向に押圧すると、図４および図５に示すように、樹脂リング１０の面取りされた面１０ａと第２本体枠１１の面取りされた面１１ａとが密着する構成となっている。この樹脂リング１０は、一部が切断されていることによって、環境温度の変化による寸法変化の不具合を防止している。
【００３５】
第２本体枠１１および樹脂リング１２は、図６および図７に示すように、互いに面取りされて接触する。第２本体枠１１は、筒状部分の上側の角が面取りされている。樹脂リング１２は、嵌合部７ｂの外径と略同一の内径Ｄａを有し、第２本体枠１１を回転自在に支持する。樹脂リング１２は、図１２に示すように、中心軸に平行である面で切断した場合の断面がたとえば略三角形状となっており、第２本体枠１１の面取りされた面１１ｂおよび樹脂リング１２の面取りされた面１２ａは、面接触する。樹脂リング１２は、樹脂リング８と同様に耐摩耗性のある材料で形成される。また、樹脂リング１２は、一部が切断されていることによって、環境温度の変化による寸法変化の不具合を防止している。
【００３６】
固定板１５は、図７に示すように、円盤形状を有しており、片面に同軸の円形ざぐりを二つ有する。図６に示すように、径が小さい円形ざぐり１５ａは、回転軸部材７の外径Ｄａと略同一の内径となるように形成される。また、径が大きい円形ざぐり１５ｂは、樹脂リング１２、波ワッシャー１３および樹脂ワッシャー１４の外径と略同一となる内径となるように形成されており、樹脂リング１２、波ワッシャー１３および樹脂ワッシャー１４を挟み込んだ状態でビス１６によって回転軸部材７の先端面７ｃの穴７ｇにビス止めされることによって、回転軸部材７の先端面７ｃに固定される。樹脂リング１２は面取りされた面１２ａを有するため、固定板１５を光軸６に沿って回転軸部材７のフランジ部７ａ側の方向に押圧することで、樹脂リング１２の面取りされた面１２ａと第２本体枠１１の面取りされた面１１ｂとが密着する構成となっている。
【００３７】
波ワッシャー１３は、図７に示すように、いわゆるステンレス鋼などの弾力性のある板材を円形に切り抜いて軸方向に変形させた形状を有する。波ワッシャー１３は、たとえば、３山形状を有する。波ワッシャー１３は、固定板１５の固定によって適量にたわむ高さになっている。
【００３８】
樹脂ワッシャー１４は、ポリアセタール樹脂などの耐摩耗性のある材料を用いて、リング状に形成される。シール１７は、円形を有し、両面テープなどで固定板１５の上に貼り付けられる。
【００３９】
この構成においては、固定板１５が回転軸部材７の先端面７ｃに固定されることによって、波ワッシャー１３がたわみ、このたわみによって、波ワッシャー１３と回転軸部材７のフランジ部７ａとの間に挿入されている部品にフランジ部７ａ方向への押圧力が加わる。これによって、第１本体枠９は、回転軸部材７外側の樹脂リング８の支持によって、光軸６と同軸で回転できる。また、第２本体枠１１も、樹脂リング１０，１２の支持によって、光軸６と同軸で回転できる。
【００４０】
このように、実施の形態１の眼幅調整機構においては、回転軸部材７が樹脂リング８，１０，１２を介して第１本体枠９および第２本体枠１１の双方を回転自在に支持するため、顕微鏡１００の操作時に観察像のずれが発生しにくい。
【００４１】
また、実施の形態１の眼幅調整機構においては、回転軸部材７の略円筒部分の基端部側面７ｈおよび先端部側面７ｉを、異なる側から半周以上にわたって切り欠くことによって、切り欠き部７ｅ，７ｆを大型化しているため、図１の矢印のように図中上側および下側の双方まで眼幅調整が可能である。したがって、実施の形態１の構成によれば、使用者の身長にあわせた眼幅調整が円滑に行えるため、観察時のアイポイントも柔軟に選択でき、顕微鏡の使い勝手もよくなる。
【００４２】
また、実施の形態１の眼幅調整機構においては、第１本体枠９に面取りされた面９ａ、を設けるとともに、第２本体枠１１に面取りされた面１１ａおよび面１１ｂを設けて、各面取りされた面９ａ，１１，１１ｂと、各本体枠の各面取りされた面と接触するように面取りされた樹脂リング８，１０，１２とを回転自在に接触させている。このため、実施の形態１の眼幅調整機構においては、各本体枠は各面取りされた面９ａ，１１，１１ｂで樹脂リング８，１０，１２の面取りされた面８ａ，１０ａ，１２ａ上を回転できるため、眼幅調整および観察のために外力が加えられても、外力が回転に効率的に変換される。したがって、実施の形態１の眼幅調整機構においては、図１の矢印のように図中上側および下側の双方まで眼幅調整が可能なように回転軸部材７の切り欠き部７ｅ，７ｆを大きくした場合であっても、与えられた外力に対して回転軸部材７が十分に耐え得ることが可能であり、製品としての使用に問題はない。
【００４３】
また、実施の形態１の眼幅調整機構においては、プリズムではなく、ミラーを使用する構成であるため、プリズムを使用する構成よりも低コスト化を図ることができる。
【００４４】
なお、本実施の形態１の構成では、３つの樹脂リング８，１０，１２を使用しているが、必ずしも３つの樹脂リングを使わなくともよい。たとえば、波ワッシャー１３のバネ定数を上げた場合には、第１本体枠９および第２本体枠１１を回転軸部材７のフランジ部７ａに強く押圧できるため、樹脂リング８，１２を省略して樹脂リング１０のみを使用する構成にすることもできる。眼幅調整の操作力量と本体枠の偏心との兼ね合いで樹脂リングを用いる箇所を選定すればよい。
【００４５】
（実施の形態２）
次に、実施の形態２について説明する。実施の形態２における顕微鏡は、図１に示す構成と同様の構成を有する。図１３は、実施の形態２における双眼鏡筒の双眼部を上部から眼幅調整機構の回転軸を中心に一部切断した図である。図１４は、図１３における領域Ａ２１を拡大した図である。図１５は、図１３における領域Ａ２２を拡大した図である。図１６は、図１３における領域Ａ２３を拡大した図である。
【００４６】
図１３に示すように、実施の形態２においては、回転軸部材７に代えて、図２に示す回転軸部材７と比較してフランジ部７ａと嵌合部７ｂとの間の形状が異なる回転軸部材２０７を有する。また、実施の形態２においては、樹脂リング１０に代えて樹脂リング１０Ａを有する。また、実施の形態２においては、固定板１５に代えて固定板２１５を有し、波ワッシャー１３および樹脂ワッシャー１４に代えて金属ボール１２Ａを複数配置する構成を有する。
【００４７】
図１３および図１４に示すように、回転軸部材２０７には、フランジ部７ａと嵌合部７ｂとの間に、第１本体枠９の面取りされた面９ａと接触する傾斜面７ｊが形成されている。第１本体枠９を、光軸６に沿って回転軸部材２０７のフランジ部７ａの方向に押圧することによって、第１本体枠９の面取りされた面９ａと、回転軸部材２０７の傾斜面７ｊとが密着する構成となっている。この傾斜面７ｊには、第１本体枠９の面取りされた面９ａと回転軸部材２０７の傾斜面７ｊとの磨耗を防止するため、グリースなどの潤滑剤が塗布され、第１本体枠９がスムーズに回転できるようにしている。
【００４８】
図１３および図１５に示すように、樹脂リング１０Ａは、第２本体枠１１および回転軸部材２０７の間に配置され、第２本体枠１１を回転自在に支持する。樹脂リング１０Ａは、樹脂リング８の中心軸に平行である面で切断した場合の断面が円形である。この樹脂リング１０Ａの内径は、回転軸部材２０７の嵌合部７ｂの外径と略同一の内径を有する。樹脂リング１０Ａは、ポリアセタール樹脂などの耐摩耗性のある材料で形成される。また、樹脂リング１０Ａは、一部が切断されていることによって、環境温度の変化による寸法変化の不具合を防止している。第２本体枠１１を光軸６に沿って回転軸部材２０７のフランジ部７ａ側の方向に押圧すると、樹脂リング１０Ａと第２本体枠１１の面取りされた面１１ａとが密着する構成となっている。
【００４９】
図１３および図１６に示すように、固定板２１５は、固定板１５と同様に片面に同軸の円形ざぐりを二つ有する。径が小さい円形ざぐり２１５ａは、固定板１５と同様に、回転軸部材７の外径Ｄａと略同一の内径となるように形成される。また、径が大きい円形ざぐり２１５ｂは、回転軸部材２０７への固定板２１５の固定時に、金属ボール１２Ａが第２本体枠１１の面取りされた面１１ｂを押圧できる深さに設定される。
【００５０】
この構成においては、固定板２１５が回転軸部材２０７の先端面７ｃに固定されることによって、金属ボール１２Ａと回転軸部材２０７のフランジ部７ａとの間に挿入されている部品にフランジ部７ａ方向への押圧力が加わる。これによって、第１本体枠９は、傾斜面７ｊとの密着による回転軸部材２０７の支持によって、光軸６と同軸で回転できる。また、第２本体枠１１も、金属ボール１２Ａを介した回転軸部材２０７による支持によって、光軸６と同軸で回転できる。
【００５１】
したがって、実施の形態２の構成によれば、実施の形態１と同様の効果を奏するとともに、実施の形態１の構成で使用した樹脂リング８を省略することができるため、構成部材を減らして製造コストを低減できるとともに、双眼部の組み立ても容易化できる。
【００５２】
また、実施の形態１においては、樹脂リング１０において面取り角度の精度が必要となるが、実施の形態２の構成であれば、断面が円形の樹脂リング１０Ａをそのまま用いればよいため、精度を必要とする部品と比べて低コスト化を図ることができる。
【００５３】
また、実施の形態２の構成では、樹脂リング１２ではなく球形の金属ボール１２Ａを使用するため、第１本体枠９および第２本体枠１１の回転をさらに円滑化できる。
【００５４】
なお、本実施の形態１，２においては、双眼部の眼幅調整機構の構成部品を変更してもよい。たとえば、実施の形態１，２においては、樹脂リング８，１０，１２および金属ボール１２Ａに代えて、樹脂リング１０Ａをそれぞれ使用する構成であってもよい。このように、所望する眼幅調整力量に合わせるとともに加工、組み立て性を考慮して、双眼部の眼幅調整機構の構成部品を変更してもよい。
【００５５】
また、本実施の形態１，２と同様の効果を得るためには、求心効果を持たせる形状をいずれかに形成すればよく、第１本体枠９の面取りされた面９ａ、第２本体枠１１の面取りされた面１１ａおよび面１１ｂに限らず、回転軸部材７，２０７の筒状部分の同心円状に、光軸に沿って少なくとも３点支持する箇所があれば足りる。
【符号の説明】
【００５６】
１  顕微鏡本体
２ｃ  外枠
２  鏡筒
２ａ  双眼部
３ａ  レボルバ
３ｂ  焦準ハンドル
３  対物レンズ
４  ステージ
５  コンデンサ
６  光軸
７，２０７  回転軸部材
８，１０，１０Ａ，１２  樹脂リング
９  第１本体枠
１１  第２本体枠
１２Ａ  金属ボール
１３  波ワッシャー
１４  樹脂ワッシャー
１５，２１５  固定板
１６  ビス
１７  シール
１８  ビームスプリッター
１９  第１ミラー
２０  第２ミラー
２１  第３ミラー
２２  第１接眼レンズ
２３  第２接眼レンズ
１００  顕微鏡
１２０  回転軸
１２１，１２２  プリズム台
１２３，１２４  固定板
１２５，１２６  プリズム
１３１  フランジ
１３２，１３３  開口部
２００  光軸
２０６  鏡筒アーム
２０７  回転軸部材
２１１  鏡筒アーム
【図１】
2012112994.tif 000003
【図２】
2012112994.tif 000004
【図３】
2012112994.tif 000005
【図４】
2012112994.tif 000006
【図５】
2012112994.tif 000007
【図６】
2012112994.tif 000008
【図７】
2012112994.tif 000009
【図８】
2012112994.tif 000010
【図９】
2012112994.tif 000011
【図１０】
2012112994.tif 000012
【図１１】
2012112994.tif 000013
【図１２】
2012112994.tif 000014
【図１３】
2012112994.tif 000015
【図１４】
2012112994.tif 000016
【図１５】
2012112994.tif 000017
【図１６】
2012112994.tif 000018
【図１７】
2012112994.tif 000019
【図１８】
2012112994.tif 000020
【図１９】
2012112994.tif 000021
【図２０】
2012112994.tif 000022